(57)【要約】【課題】新台入れ替え等の作業の際に、たとえ遊技機群内に不要物が流入したとしても、その不要物が搬送路内へ混入することを確実に阻止できる遊技場用設備を提供することを目的とする。【解決手段】遊技場用設備１は、複数のパチンコ機３０が並設された遊技機島の内部に配され、パチンコ機３０の設置位置よりも高さ方向下方に位置するアウトレール５の上部側を覆う上部覆い部３を備えた設備である。上部覆い部３は、ケース部材２の一部であって、部材厚方向に設けられた貫通孔１４を有する。ケース部材２は、アウトレール５上に設置され、貫通孔１４に、パチンコ機３０から排出される球を流す排出流路６が挿通されている。アウトレール５の上部からは、排出流路６を通過した球のみが導入される。【選択図】図６
2013034774.tif 000002
【特許請求の範囲】
【請求項１】
遊技球を用いて遊技する複数の弾球遊技機が並設された遊技機群の内部に配され、弾球遊技機の設置位置よりも高さ方向下方に位置する搬送路の少なくとも上部側を覆う上部覆い部を有し、
前記搬送路は、弾球遊技機で使用されて排出される遊技球が通過する排出流路よりもさらに下流側に位置する流路であり、
前記上部覆い部は、前記搬送路に直接的又は間接的に設置されるもので、所定の位置に、前記排出流路が挿通あるいは接続される取付部を有することを特徴とする遊技場用設備。
【請求項２】
前記上部覆い部は、少なくとも１面が開放されたケース部材の一部であることを特徴とする請求項１に記載の遊技場用設備。
【請求項３】
前記搬送路は、レール部材と、遊技球が通過する孔を有した覆蓋とを備え、
レール部材は、覆蓋が取り付けられることで、遊技球が搬送される搬送空間が形成されるもので、
前記上部覆い部は、レール部材及び／又は覆蓋の上部に載置され、前記排出流路を通過した遊技球は前記孔から前記搬送空間に導入されることを特徴とする請求項２に記載の遊技場用設備。
【請求項４】
前記ケース部材は、隣接するケース部材同士と連結可能な接続部を有することを特徴とする請求項２又は３に記載の遊技場用設備。
【発明の詳細な説明】
【技術分野】
【０００１】
本発明は、弾球遊技機に使用される遊技球を搬送する遊技場用設備に関するものである。
【背景技術】
【０００２】
従来より、パチンコ機やスロット機等の遊技機を遊技できる遊技場は、複数の遊技機が群をなした遊技機群（所謂遊技機島）を備え、その遊技機島が複数設置された構成とされている。そして、各遊技機島は、内部に遊技媒体を流す搬送路を設けることで、遊技媒体を遊技機に供給したり、逆に遊技機から排出された遊技媒体を貯留タンク等に搬送したり、また単に遊技媒体を遊技機群内で循環させることを可能とし、遊技の円滑化を図っている。
特許文献１には、パチンコ機を備えた遊技機島の内部に配された搬送路の技術が開示されている。
なお、以下においては、パチンコ機（弾球遊技機）を備えた遊技機島に注目して説明する。
【０００３】
ところで、遊技場では、新たな遊技者の獲得や既存の遊技者の確保を目的として、既設のパチンコ機を新しい機種のパチンコ機に入れ替える新台入れ替えや、既設のパチンコ機の配置を相互に変更するレイアウト変更等（以下、単に新台入れ替え等という）が頻繁に行われる。
【０００４】
ところが、従来より、このような新台入れ替え等の作業に伴って、遊技球（以下、単に球という）以外の物体、例えば煙草の吸い殻や、パチンコ機の固定に用いるクギ等（以下、不要物という）が遊技機島内部に混入する問題が多発している。特に、遊技機島内部に混入した不要物は、パチンコ機の設置位置よりも下方に位置するアウトレール（搬送路の一部）上に落下する場合が多い。これにより、遊技機島内部に混入した不要物は、アウトレール上を流れる球と共に、島内部の構成機器たる球研磨装置や球揚送装置等に導入されることがあり、当該機器の故障の原因となっていた。
【０００５】
そこで、従来技術においては、アウトレールをレール部材と覆蓋の２部材構成とし、レール部材に混入し得る不要物を覆蓋で受け止めるという方策がとられている。
【先行技術文献】
【特許文献】
【０００６】
【特許文献１】特開２００６−６８５６号公報
【発明の概要】
【発明が解決しようとする課題】
【０００７】
ところが、覆蓋では、レール部材に混入し得る不要物を十分に受け止めきれないという不満があった。即ち、覆蓋は、球をレール部材側に通過させるという役割があり、その役割を果たすため、複数の孔が設けられている。そのため、たとえ覆蓋に不要物が受け止められたとしても、球の流れが影響して、その不要物がレール部材側に流出してしまっていた。
【０００８】
そこで本発明では、従来技術の問題に鑑み、新台入れ替え等の作業の際に、たとえ遊技機群内に不要物が流入したとしても、その不要物が搬送路内へ混入することを確実に阻止できる遊技場用設備の提供を目的とする。
【課題を解決するための手段】
【０００９】
上記課題を解決するため、請求項１に係る発明は、遊技球を用いて遊技する複数の弾球遊技機が並設された遊技機群の内部に配され、弾球遊技機の設置位置よりも高さ方向下方に位置する搬送路の少なくとも上部側を覆う上部覆い部を有し、前記搬送路は、弾球遊技機で使用されて排出される遊技球が通過する排出流路よりもさらに下流側に位置する流路であり、前記上部覆い部は、前記搬送路に直接的又は間接的に設置されるもので、所定の位置に、前記排出流路が挿通あるいは接続される取付部を有することを特徴とする遊技場用設備である。
なお、「直接的に設置される」とは、上部覆い部が搬送路に設置される場合を意味し、「間接的に設置される」とは、上部覆い部が遊技機群を構成する一部に設置される場合を意味する。
【００１０】
本発明の遊技場用設備は、搬送路の上部を上部覆い部で覆い、新台入れ替え等の作業の際に、遊技球が流れる流路上に不要物（煙草の吸い殻やクギ等）が混入することを確実に阻止できる構成とされている。
ここで、遊技機群は、通常、弾球遊技機の設置位置よりも高さ方向下方に配された遊技球用の搬送路に、弾球遊技機で使用された遊技球が流入する構成とされている。即ち、当該搬送路は、弾球遊技機から排出された遊技球が通過する排出流路よりも下流側に配置されている。そのため、本発明の設備たる上部覆い部を搬送路の上部を覆うように配した場合、排出流路を通過する遊技球をどのように搬送路側に導入すべきかが問題となる。
そこで、本発明の遊技場用設備は、上部覆い部の所定の位置に取付部を設け、その取付部に排出流路を挿通したり、接続する構成とした。換言すれば、本発明の遊技場用設備は、排出流路を通過する遊技球が、上部覆い部の取付部を介して、搬送路に導入される構成である。例えば、取付部を開口とし、当該開口を排出流路が挿通できる程度の開口面積としたり、また、取付部を筒状体とし、排出流路を当該筒状体に嵌め込める構成とすれば、取付部には、排出流路を流れる遊技球のみが通過し、当該取付部を介して不要物が搬送路側に流入するおそれがない。
【００１１】
このように、本発明では、遊技機群の内部に搬送路の上部を覆う上部覆い部を設け、その上部覆い部に排出流路を挿通又は接続する取付部を設けたため、遊技球のみを搬送路側に導入でき、さらに不要物を上部覆い部が確実に受け止めるため、搬送路には遊技球以外の不要物が混入することがない。したがって、本発明によれば、新台入れ替え等の作業の際に、作業員の不注意等で不要物が遊技機群の内部に流入したとしても、その不要物が遊技球と共に搬送路上を流れることがないため、遊技機群の構成機器たる球研磨装置や揚送装置等を故障させる問題が発生しない。
【００１２】
請求項２に係る発明は、前記上部覆い部は、少なくとも１面が開放されたケース部材の一部であることを特徴とする請求項１に記載の遊技場用設備である。
【００１３】
かかる構成によれば、上部覆い部が、少なくとも１面が開放されたケース部材の一部であるため、複数のケース部材を用いるような場合においては、組み合わせが容易である。例えば、ケース部材を複数用意して搬送路の上部を覆う構成にした場合においては、搬送路の長さ（弾球遊技機の並設方向の長さ）や形状（弾球遊技機の並設方向の形状）がいかなるものであっても、ケース部材の数や配置を変化させることでその搬送路にあった設備にすることができる。即ち、本発明によれば、施工場所に適した設備とすることができるため、汎用性が高い。
【００１４】
請求項３に係る発明は、前記搬送路は、レール部材と、遊技球が通過する孔を有した覆蓋とを備え、レール部材は、覆蓋が取り付けられることで、遊技球が搬送される搬送空間が形成されるもので、前記上部覆い部は、レール部材及び／又は覆蓋の上部に載置され、前記排出流路を通過した遊技球は前記孔から前記搬送空間に導入されることを特徴とする請求項２に記載の遊技場用設備である。
【００１５】
かかる構成によれば、上部覆い部は、搬送路を構成するレール部材や覆蓋の上部に載置するだけで良いため、設置が容易である。即ち、既存の遊技機群の内部に設置するような場合であっても、わざわざ施工業者に頼る必要がないため、設備投資費が大幅に嵩むことがない。
【００１６】
請求項４に係る遊技場用設備は、前記ケース部材は、隣接するケース部材同士と連結可能な接続部を有することを特徴とする請求項２又は３に記載の遊技場用設備である。
【００１７】
かかる構成によれば、複数のケース部材を搬送路に設置する場合に、ケース部材同士を接続部を介して互いに接続できるため、振動等によって各ケース部材が相対的に位置ずれを起こす可能性が低い。
【発明の効果】
【００１８】
本発明の遊技場用設備は、上部覆い部によって、遊技機群の内部に配された搬送路の上部を覆い、その上部覆い部に弾球遊技機から排出される遊技球が通過する排出流路の取付部を設けたため、不要物が搬送路内に流入することを阻止しつつ、排出流路を通過する遊技球のみを搬送路に導入することができる。これにより、新台入れ替え等の作業の際に、不要物が遊技機群に流入したとしても、搬送路にその不要物が混入するような事態が起き得ない。
【図面の簡単な説明】
【００１９】
【図１】本発明の第一実施形態に係る遊技場用設備を備えた遊技機島を示す正面図である。
【図２】図１の遊技機島の内部における搬送路に注目した概念図である。
【図３】アウトレールを示す斜視図である。
【図４】アウトレールを示す分解斜視図である。
【図５】図１の遊技機島を示すＡ−Ａ断面図である。
【図６】図２の遊技機島の内部の一部を拡大した正面図である。
【図７】ケース部材を示す斜視図である。
【図８】アウトレールにケース部材を設置した状態を示す拡大斜視図である。
【図９】第二実施形態に係る遊技場用設備を示す断面図である。
【図１０】第三実施形態に係る遊技場用設備の示す説明図である。
【図１１】ケース部材の変形例を示す斜視図である。
【図１２】ケース部材の別の変形例を示す斜視図である。
【図１３】第四実施形態に係る遊技場用設備を示す断面図である。
【発明を実施するための形態】
【００２０】
以下、本発明の第一実施形態に係る遊技場用設備１について説明する。
本実施形態の遊技場用設備１は、複数の弾球遊技機（以下、パチンコ機という）３０を１つの群とした遊技機群（以下、遊技機島という）３１に適した構成であり、その遊技機島３１の内部に配された、遊技球（以下、単に球という）が搬送される搬送路３２（図２）への不要物の混入を阻止する落下物遮蔽手段である。特に、本実施形態の遊技場用設備１は、搬送路３２の一部を構成するアウトレール５の上部を覆う構成とされている。
以下の説明においては、理解を容易にするために、遊技場用設備１を備えた１つの遊技機島３１に注目して説明する。
【００２１】
まず、遊技機島３１を構成する主要な機器について説明する。
遊技機島３１は、図１に示すように、島の外郭を形成する島構造部２８に複数の枠状の遊技機取付部３３が並列的に設けられており、パチンコ機３０はその遊技機取付部３３に設置されている。具体的には、遊技機島３１は、島構造部２８に並設されたパチンコ機３０を２列（１列のみ図示）有する。
また、島構造部２８で形成された内部空間においては、図２に示すように、パチンコ機３０の設置位置よりも高さ方向上方に上部島タンク２３が設置され、パチンコ機３０の設置位置よりも高さ方向下方に２つの下部島タンク２５、２６と、球研磨装置２７と、球揚送装置２９が設置されている。
【００２２】
パチンコ機３０は、公知のそれと同一のものが採用されており、正面側（遊技機島３１の外側）には盤面等が設けられ、背面側（遊技機島３１の内側）には、球が導入される補給タンク（図示しない）や球が排出される球排出口４４（図６）等が備えられている。
【００２３】
上部島タンク２３は、後述する球揚送装置２９から送られた球を一時的に貯留する貯留手段であり、必要に応じて球をパチンコ機３０に送り出す機能や隣接する他の遊技機島に向けて送り出す機能、さらには一定量以上の球が流入した場合に強制的に球を排出することを可能とする機能が備えられている。
【００２４】
下部島タンク２５、２６は、遊技機島３１の端部（パチンコ機３０の並設方向端部）にそれぞれ１つずつ配され、上部島タンク２３において強制的に排出された球や、球を計数する図示しない計数装置等から送られた球を一時的に貯留する貯留手段である。そして、下部島タンク２５、２６には、必要に応じてタンク内の球を後述する球研磨装置２７に送り出すことを可能とする機能が備えられている。
【００２５】
球研磨装置２７は、遊技機島３１の中央近傍（パチンコ機３０の並設方向の中間）に配されており、下部島タンク２５、２６から送られた球を研磨する装置である。
【００２６】
球揚送装置２９は、遊技機島３１の中央近傍（パチンコ機３０の並設方向の中間）で、球研磨装置２７に隣接した位置に配されており、球研磨装置２７から送り出された球を上方に向けて揚送する装置である。
【００２７】
続いて、遊技機島３１における搬送路３２について説明する。
搬送路３２は、図２に示すように、前記した各機器を繋いだ流路であり、大別して、パチンコ機３０の並設方向に延伸した横搬送路１１と、高さ方向に延伸した縦搬送路１２により構成されている。
【００２８】
横搬送路１１には、パチンコ機３０の設置位置よりも下方に位置するアウトレール５と、パチンコ機３０の設置位置よりも上方に位置する補給レール３５及びオーバーフローレール４０とがある。
なお、補給レール３５及びオーバーフローレール４０は、本発明に特に関係しないため、簡単に説明する。
【００２９】
アウトレール５は、パチンコ機３０から排出された球（アウト球）や下部島タンク２５、２６から排出された球を搬送する流路で、遊技機島３１の各端部Ａ、Ｂ側から球研磨装置２７に向けて下り勾配となるように設置されたレールである。具体的には、アウトレール５は、遊技機島３１の一方の端部Ａ側から球研磨装置２７に向けて下り勾配のレール５ａと、遊技機島３１の他方の端部Ｂ側から球研磨装置２７に向けて下り勾配のレール５ｂとで構成されている。即ち、アウトレール５は、流入した球を遊技機島３１のほぼ中央の位置にある球研磨装置２７に向けて自然搬送する流路である。
【００３０】
また、アウトレール５は、図３に示すように、断面形状がほぼコの字型のレール部材１３と、板状の覆蓋１５とで構成されている。
レール部材１３は、図４に示すように、コの字の内側底面に複数の溝３６が形成されている。この溝３６は、アウトレール５の延伸方向に沿って延びており、球をアウトレール５の延伸方向に沿って円滑に搬送するガイド機能を果たすものである。また、レール部材１３の側壁３４には、外側に向かって張り出し且つアウトレール５の延伸方向に沿って延びた張出部３８が設けられている。そして、張出部３８には、部材厚方向に貫通した複数のネジ孔４８が設けられている。なお、この張出部３８は、側壁３４の高さ方向中途に配されている。即ち、側壁３４の先端側は、張出部３８から張り出したような関係である。
【００３１】
覆蓋１５は、レール部材１３の上部に装着される蓋であり、部材厚方向に形成された複数の孔３７を有する。即ち、覆蓋１５がレール部材１３に装着されると、覆蓋１５とレール部材１３とで形成された搬送空間の内外は、孔３７によって連通する。換言すれば、アウトレール５の上方から落下した球は、覆蓋１５の孔３７を介して、レール部材１３に導入される。
【００３２】
補給レール３５は、図２に示すように、各パチンコ機３０に向けて球を搬送する流路で、上部島タンク２３から遊技機島３１の端部に向けて下り勾配となるように設置された流路である。具体的には、補給レール３５は、上部島タンク２３から遊技機島３１の一方の端部Ａ側に向けて下り勾配のレール３５ａと、上部島タンク２３から他方の端部Ｂ側に向けて下り勾配のレール３５ｂとで構成されている。即ち、補給レール３５は、遊技機島３１のほぼ中央から遊技機島３１の各端部Ａ、Ｂに向けて自然搬送する流路である。
【００３３】
オーバーフローレール４０は、上部島タンク２３において一定量を超えた球を下部島タンク２５、２６に向けて搬送するという点と、補給レール３５より若干低い位置に設置されているという点以外は、補給レール３５とほぼ同様の構成であるため、説明を省略する。
【００３４】
一方、縦搬送路１２には、各パチンコ機３０に対応する位置に配された補給シュート（図示しない）と、下部島タンク２５、２６に球を導入する球抜きホース４１及びオーバーフローホース４２と、各パチンコ機３０から排出されるアウト球をアウトレール５に排出する排出流路６（図５）と、球を上方に向けて搬送する揚送流路４３とがある。
なお、排出流路６以外は、本発明に特に関係しないため、簡単に説明する。
【００３５】
補給シュート（図示しない）は、補給レール３５から枝状に分岐した流路であり、パチンコ機３０や貸出機（図示しない）に球を振り分けて供給するものである。
【００３６】
球抜きホース４１は、遊技機島３１の端部側に位置し且つ補給レール３５から垂下するように接続された流路である。なお、球抜きホース４１は、補給レール３５上に滞留した球を強制排出する際に使用する流路であり、通常、この球抜きホース４１に球が通過することはない。
【００３７】
オーバーフローホース４２は、遊技機島３１の端部側に位置し且つオーバーフローレール４０から垂下するように接続された流路である。
【００３８】
揚送流路４３は、球揚送装置２９と上部島タンク２３とを繋ぐ流路であり、球揚送装置２９の駆動力によって押し出された球を、上方に向けて搬送する流路である。
【００３９】
排出流路６は、図６に示すように、パチンコ機３０の球排出口４４から排出されたアウト球を、アウトレール５に向けて、真っ直ぐ下方に流す流路であり、針金状の金属をコイル状に巻回して形成されている。そして、排出流路６は、固定された状態において、その下流側端部がアウトレール５から所定の距離離反する長さとなるように設定されている。
ここで、排出流路６は、パチンコ機３０の球排出口４４の近傍に設置されるアウトボックス２０の一部を構成する部材である。アウトボックス２０は、公知のそれと同一であり、図６に示すように、パチンコ機３０の球排出口４４のほぼ直下に設けられる球排出装置である。
即ち、アウトボックス２０の排出流路６は、ホッパー部４５に導入されて計数手段４６を通過した球が、アウトレール５に向かって下方に流れる流路である。
【００４０】
次に、本実施形態の遊技場用設備１について説明する。
本実施形態の遊技場用設備１は、樹脂により成形された断面形状がほぼコの字型のケース部材２によって構成されている。
即ち、ケース部材２は、図７に示すように、対向する位置に配された２つの側壁部８、９と、その２つの側壁部８、９を繋ぐ上部覆い部３を有する。側壁部８、９及び上部覆い部３は、いずれもほぼ長方形状の板体である。即ち、ケース部材２は、上部覆い部３の１対の端部に側壁部８、９がそれぞれ立設した構成である。
【００４１】
また、側壁部８、９はそれぞれ、上部覆い部３が位置する端部と対向する端部に、ケース部材２の外側に張り出したフランジ部３９を有する。そして、フランジ部３９には、部材厚方向に貫通したネジ孔４７が設けられている。
上部覆い部３は、部材厚方向に貫通した複数（本実施形態では１０個）の貫通孔（取付部）１４と１組の接続部１６、１７を有する。
貫通孔（取付部）１４は、開口形状がほぼ円形であり、排出流路６が挿通できる開口面積に設定されている。
接続部１６、１７は、隣接して配されるケース部材２同士を繋ぎ合わせる係合手段で、側壁部８、９が配された上部覆い部３の１対の端部と直交する別の１対の端部に１つずつ設けられている。即ち、接続部１６、１７は、互いに対向する位置関係である。
【００４２】
また、接続部１６、１７は、互いに係合可能な形状であり、一方の接続部１６が凸形状、他方の接続部１７が凹形状とされている。具体的には、接続部１６は、上部覆い部３の端部から外方向に突出した部分で、基端側から先端側に向かって広がった形状である。即ち、接続部１６は、平面視した形状がほぼ三角形である。接続部１７は、上部覆い部３の端部から内方向に切り欠かれた部分で、内方向に向かうほど広がった形状である。即ち、接続部１７は、平面視した形状がほぼ三角形で、接続部１６が嵌り込む大きさとされている。
なお、本実施形態の遊技場用設備１は、不要な貫通孔１４を閉塞するための閉塞部材１９を有しており、閉塞部材１９によって、排出流路６が挿通されていない貫通孔１４を閉塞状態にしておくことができる。閉塞部材１９は、樹脂やゴム製の成形品であることが好ましい。
【００４３】
次に、本実施形態の遊技場用設備１を遊技機島３１内部に設置した際の位置関係について説明する。
前記したように、本実施形態の遊技場用設備１は、複数のケース部材２によって構成されており、パチンコ機３０の高さ方向下方に位置するアウトレール５の上部を覆うように配されている。具体的には、図６に示すように、複数のケース部材２が、アウトレール５の延伸方向に沿って、且つ、上部覆い部３がアウトレール５に向かい合うような配置で設置されている。またこのとき、各ケース部材２は、直列的に並べられて、接続部１６、１７によって互いに連結されている。
また、各ケース部材２は、図８に示すように、フランジ部３９が、アウトレール５の構成部材たるレール部材１３の張出部３８に当接するように配され、ネジ等の締結部材を用いてレール部材１３に対して固定されている。具体的には、各ケース部材２とレール部材１３は、ネジ等の締結部材をフランジ部３９のネジ孔４７に挿通して螺合して接続されている。
【００４４】
また、アウトボックス２０の構成部材たる排出流路６が垂下する場所に位置するケース部材２においては、その排出流路６が当該ケース部材２の貫通孔（取付部）１４に挿通されている。このとき、排出流路６は、ケース部材２に設けられた複数の貫通孔１４のうち、当該排出流路６を殆ど変形させることなく無理なく挿通可能な位置の貫通孔１４に挿通することが好ましい。
【００４５】
以上のように、本実施形態では、パチンコ機３０の設置位置より下方に位置するアウトレール５の上部を複数のケース部材２で覆ったため、例えば、パチンコ機３０等の新台入れ替えの際に、作業員の不注意等で不意に遊技機島３１内部に不要物が落下したとしても、遊技場用設備１によってアウトレール５内にその不要物が混入することが確実に阻止されるため、不要物に起因した球研磨装置２７や球揚送装置２９等の機器の故障が起き得ない。
また、本実施形態では、ケース部材２の上部覆い部３に設けた貫通孔（取付部）１４に排出流路６を挿通する構成としたため、不要物がアウトレール５側に流入する余地がなく、さらにパチンコ機３０から排出された球を確実にアウトレール５に流すことができる。
さらに、本実施形態では、接続部１６、１７を介して、ケース部材２同士を互いに連結可能な構成としたため、球が搬送される際に発生する振動等で、隣接するケース部材２の上部覆い部３同士が離反してしまうことがない。即ち、本実施形態によれば、ケース部材２同士の間から不要物がアウトレール５に混入してしまう懸念がない。
【００４６】
上記実施形態では、ケース部材２、５２のフランジ部３９に固定用のネジ孔４７を設け、ネジ孔４７を介してネジ等の締結部材でレール部材１３に固定する構成を示したが、本発明ではこれに限定されず、ネジ等の締結部材を用いなくともレール部材１３に固定できる構成であっても構わない。
なお、以下の説明では、上記実施形態と同一の部品等に関しては、同一の符番を符して説明を省略する。
例えば、第二実施形態に係る遊技場用設備５１は、図９に示すように、ケース部材５２の各側壁部８、９の内側に、断面形状がＬ字型の内側片５３が設けられ、側壁部８、９と内側片５３との間でレール部材１３の側壁３４の上部側（張出部３８に対して張り出した部分）を挟む構成である。なお、この内側片５３は、アウトレール５に設置した状態を基準に、アウトレール５の延伸方向に延びた構成である。具体的には、内側片５３は、側壁部８、９全体に設けられた構成であっても、側壁部８、９の一部に設けられた構成であっても構わない。
そして、ケース部材５２をアウトレール５に配した状態においては、側壁部８、９の先端側がレール部材１３の張出部３８と当接すると共に、内側片５３の先端側が覆蓋１５と当接し、さらに側壁部８、９と内側片５３とがレール部材１３を挟んだ状態となる。即ち、この構成によれば、ケース部材５２は、側壁部８、９と内側片５３との間にアウトレール５の外郭上部を配することで、容易にレール部材１３に固定されるため、上記実施形態のように、ネジ等の締結部材を要することがない。結果的に、本構成によれば、上記実施形態よりも取り付け作業の手間がないため、便利である。
また、ネジ等の締結部材を要さない別の構成として、ケース部材のサイズを一回り小型にして、覆蓋１５の上部のみに側壁部８、９を載置して、ケース部材を設置できる構成が挙げられる。
【００４７】
上記第一、第二実施形態では、各ケース部材２の側壁部８、９の高さを同一とし、隣接するケース部材２同士の上部覆い部３がほぼ同一の面上（同一の高さ）となる構成を示したが、本発明はこれに限定されず、各ケース部材のサイズを変更し、隣接するケース部材同士の上部覆い部が異なるサイズとなる構成であっても構わない。
例えば、第三実施形態に係る遊技場用設備５５は、図１０に示すように、低ケース部材５６と高ケース部材５７の２種類を有し、低ケース部材５６が、高ケース部材５７の内側に収まる程度に設定された構成である。即ち、この構成によれば、隣接する低ケース部材５６と高ケース部材５７を、互いに若干重ねるようにしてアウトレール５上に設置することができるため、球の搬送に伴って振動等が生じる場合があったとしても、前記重なり部分によって、ケース部材のずれをカバーできる。
また、この構成を採用する場合においても、第一実施形態のように、低ケース部材５６と高ケース部材５７に、接続部を設け、隣接する低ケース部材５６と高ケース部材５７同士を互いに係合可能な構成を付加しても構わない。具体的には、図１０に示すように、高ケース部材５７の上部覆い部３の内側に下方に突出した突起部を接続部６０とし、低ケース部材５６の上部覆い部３の外側に部材厚方向に凹んだ窪みあるいは貫通した係合孔を接続部６１とし、接続部６０の突起部を接続部６１の窪みあるいは係合孔に係合する構成が挙げられる。この構成によれば、上記実施形態と同様の作用効果を得ることができる。
【００４８】
上記第一実施形態では、上部覆い部３に円形の貫通孔１４を設けた構成を示したが、本発明ではこれに限定されず、例えば、図１１に示すように、楕円形の貫通孔６２を設けた構成であっても構わない。この場合、閉塞部材７０は、複数の閉塞片により形成される構成が好ましい。
【００４９】
また、上記第一実施形態では、上部覆い部３に取付部として貫通孔１４を設けた構成を示したが、本発明ではこれに限定されず、図１２に示すように、上部覆い部３から立設した筒状の円筒部６３を取付部とした構成であっても構わない。この構成であれば、円筒部６３の外側面に沿って排出流路６を嵌め込むことができるため、円筒部６３と排出流路６との間に隙間等が形成されることがほぼない。
【００５０】
上記各実施形態では、上部覆い部３をケース部材２、５２、５６、５７の一部とした構成を示したが、本発明ではこれに限定されず、上部覆い部３を備えた板体６５であっても構わない（第四実施形態）。この場合、図１３に示すように、島構造部２８の一部に板体６５を固定することで、上記実施形態と同様の作用効果を得ることができる。
【００５１】
また、上記第一、第二、第三実施形態では、複数のケース部材２、５２、５６、５７を直列的に並べてアウトレール５全体を覆った構成を示したが、本発明ではこれに限定されず、例えば、１つのケース部材によってアウトレール５全体を覆う構成であっても構わない。
【００５２】
上記第一、第二、第三実施形態では、３面壁を備えたコの字型のケース部材２を用いた構成を示したが、本発明ではこれに限定されず、１面のみが開放したケース部材を用いた構成であっても構わない。
【００５３】
上記した各実施形態では、隣接するケース部材２、５２、５６、５７同士が連結される接続部１６、１７、６０、６１を設けた構成を示したが、本発明ではこれに限定されず、接続部を全く設けない構成であっても構わない。
【符号の説明】
【００５４】
１、５１、５５    遊技場用設備
２、５２    ケース部材
３    上部覆い部
５    アウトレール
６    排出流路
１３    レール部材
１４、６２    貫通孔（取付部）
１５    覆蓋
１６、１７、６０、６１    接続部
３０    パチンコ機（弾球遊技機）
３１    遊技機島（遊技機群）
５６    低ケース部材
５７    高ケース部材
６３    円筒部（取付部）
【図１】
2013034774.tif 000003
【図２】
2013034774.tif 000004
【図３】
2013034774.tif 000005
【図４】
2013034774.tif 000006
【図５】
2013034774.tif 000007
【図６】
2013034774.tif 000008
【図７】
2013034774.tif 000009
【図８】
2013034774.tif 000010
【図９】
2013034774.tif 000011
【図１０】
2013034774.tif 000012
【図１１】
2013034774.tif 000013
【図１２】
2013034774.tif 000014
【図１３】
2013034774.tif 000015